(57)【要約】【課題】いずれかの通話機能による音声通話が行われている最中に、他の通話機能に基づく着信に応答することができる電話端末を提供すること。【解決手段】電話端末として機能するＦＡＸは、図２におけるｓ１１０、ｓ１２０の処理において、電話回線網およびインターネット網のいずれかの網を介した音声通話が行われている状態で、音声通話が行われていない方の網からの着信が発生した際、この着信に対して、ｓ２３０以降の処理において未使用の子機端末での応答を可能とし、ｓ３１０以降の処理において音声通話中である旨の通知およびメッセージの録音を行う。このように、いずれかの網を介した音声通話が行われている状態で、音声通話が行われていない方の網からの着信が発生した場合、この着信に対して応答することができる。【選択図】図２
2004080499.tif 000002
【特許請求の範囲】
【請求項１】
電話回線網を介して伝送される音声信号に基づく音声を送受話器から入出力する電話通話機能、および、インターネット網を介して伝送される音声信号に基づく音声を送受話器から入出力するインターネット通話機能を含む複数種類の通話機能を有する電話端末であって、
前記複数種類の通話機能のうちいずれかの通話機能が利用されている状態で、該利用されている以外の通話機能による着信が発生した際に、該着信に応答するための所定の処理を実行する応答手段を備えている
ことを特徴とする電話端末。
【請求項２】
前記応答手段は、前記複数種類の通話機能のうちいずれかの通話機能が利用されている状態で、該利用されている以外の通話機能による着信が発生した際に、該着信元との回線を接続すると共に、該接続以降に所定の音声信号を前記着信元へ出力する
ことを特徴とする請求項１に記載の電話端末。
【請求項３】
前記応答手段は、音声通話中である旨を通知するための音声信号を前記着信元へ出力する
ことを特徴とする請求項２に記載の電話端末。
【請求項４】
前記応答手段が着信元へ出力すべき音声信号を、複数種類の音声信号の中から利用者に指定させる音声指定手段を備えており、
前記応答手段は、前記音声指定手段により指定された音声信号を前記着信元へ出力する
ことを特徴とする請求項２に記載の電話端末。
【請求項５】
各種信号を記録する信号記録手段を備えており、
前記応答手段は、前記複数種類の通話機能のうちいずれかの通話機能が利用されている状態で、該利用されている以外の通話機能による着信が発生した際に、該着信元との回線を接続すると共に、該接続以降に前記着信元から入力される信号を前記信号記録手段に記録させる
ことを特徴とする請求項１から請求項４のいずれかに記載の電話端末。
【請求項６】
前記応答手段は、着信元との回線の接続後に該着信元から入力される音声信号を前記信号記録手段に記録させる
ことを特徴とする請求項５に記載の電話端末。
【請求項７】
複数の送受話器を備えており、
前記応答手段は、前記複数種類の通話機能のうちいずれかの通話機能が利用されている状態で、該利用されている以外の通話機能による着信が発生した際に、該着信元との回線を接続すると共に、該接続以降に前記着信元から入出力される音声信号に基づく音声を、前記複数の送受話器のうち音声の入出力に利用されていない送受話器から入出力可能とする
ことを特徴とする請求項１に記載の電話端末。
【請求項８】
前記応答手段は、前記複数の送受話器のうち音声の入出力に利用されていない送受話器の中から、所定の条件を満足する送受話器を検索し、該条件を満足する送受話器が検出されたら、前記着信元との回線を接続すると共に、該接続以降に前記着信元から入出力される音声信号に基づく音声を前記検出された送受話器から入出力可能とする
ことを特徴とする請求項７に記載の電話端末。
【請求項９】
前記複数の送受話器の中に、該送受話器として機能する無線通話用の子機端末が含まれており、
前記応答手段は、前記複数の送受話器のうち音声の入出力に利用されていない送受話器の中から、前記子機端末を検索する
ことを特徴とする請求項８に記載の電話端末。
【請求項１０】
前記応答手段は、前記複数の送受話器のうち音声の入出力に利用されていない送受話器の中から、所定の条件を満足する送受話器を検索し、該条件を満足する送受話器が検出されなければ、前記着信元との回線を接続すると共に、該接続以降に所定の音声信号を前記着信元へ出力する
ことを特徴とする請求項８または請求項９に記載の電話端末。
【請求項１１】
前記応答手段は、音声通話中である旨を通知するための音声信号を前記着信元へ出力する
ことを特徴とする請求項１０に記載の電話端末。
【請求項１２】
前記応答手段が着信元へ出力すべき音声信号を、複数種類の音声信号の中から利用者に指定させる音声指定手段を備えており、
前記応答手段は、前記音声指定手段により指定された音声信号を前記着信元へ出力する
ことを特徴とする請求項１０に記載の電話端末。
【請求項１３】
各種信号を記録する信号記録手段を備えており、
前記応答手段は、所定の条件を満足する送受話器が検出されなければ、前記着信元との回線を接続すると共に、該接続以降に前記着信元から入力される信号を前記信号記録手段に記録させる
ことを特徴とする請求項７から請求項１２のいずれかに記載の電話端末。
【請求項１４】
前記応答手段は、前記着信元との回線の接続後に該着信元から入力される音声信号を前記信号記録手段に記録させる
ことを特徴とする請求項１３に記載の電話端末。
【請求項１５】
少なくとも、電話回線網を介して伝送される音声信号に基づく音声を送受話器から入出力する電話通話機能、および、インターネット網を介して伝送される音声信号に基づく音声を送受話器から入出力するインターネット通話機能を含む複数種類の通話機能を有する電話端末を制御するための各種手順を、コンピュータシステムに実行させるための端末制御プログラムであって、
前記複数種類の通話機能のうちいずれかの通話機能が利用されている状態で、該利用されている以外の通話機能による着信が発生した際に、該着信に応答するための所定の処理を実行する応答手順が、含まれている
ことを特徴とする端末制御プログラム。
【発明の詳細な説明】
【０００１】
【発明の属する技術分野】
本発明は、電話回線網を介して伝送される音声信号に基づく音声を送受話器から入出力する電話通話機能、および、インターネット網を介して伝送される音声信号に基づく音声を送受話器から入出力するインターネット通話機能を含む複数種類の通話機能を有する電話端末に関する。
【０００２】
【従来の技術】
近年、音声通話を実現する通話機能を有する電話端末として、電話回線網を介して伝送される音声信号に基づく音声を送受話器から入出力する通話機能、および、インターネット網を介して伝送される音声信号に基づく音声を送受話器から入出力する通話機能を有するものがある。
【０００３】
【発明が解決しようとする課題】
しかし、このような電話端末は、いずれかの通話機能による音声通話が行われている最中に他の通話機能に基づく着信が発生した場合、音声通話を終了した後でなければ、この着信に応答することができなかった。
【０００４】
本発明は、複数の通信回線（電話回線網およびインターネット網を含む）に接続され、それぞれの通信回線を利用した音声通話を実現する通話機能を利用可能であって、いずれかの通話機能による音声通話が行われている最中に、この音声通話を終了させることなく、他の通話機能に基づく着信に応答することができる電話端末を提供すること、および、この電話端末において利用可能な端末制御プログラムを提供することを目的とする。
【０００５】
【課題を解決するための手段および発明の効果】
上記問題を解決するため請求項１に記載の電話端末は、
電話回線網を介して伝送される音声信号に基づく音声を送受話器から入出力する電話通話機能、および、インターネット網を介して伝送される音声信号に基づく音声を送受話器から入出力するインターネット通話機能を含む複数種類の通話機能を有する電話端末であって、
前記複数種類の通話機能のうちいずれかの通話機能が利用されている状態で、該利用されている以外の通話機能による着信が発生した際に、該着信に応答するための所定の処理を実行する応答手段を備えている、ことを特徴とする。
【０００６】
このように構成された電話端末によれば、いずれかの通話機能が利用されている状態で、利用されていない他の通話機能による着信が発生した際、応答手段が、この着信に応答するための所定の処理を実行する。そのため、いずれかの通話機能による音声通話中に他の通話機能による着信が発生した場合、この着信に対する応答を、音声通話中の利用者に代わって応答手段に行わせることができる。
【０００７】
よって、いずれかの通話機能による音声通話が行われている最中に、この音声通話を終了させることなく、他の通話機能に基づく着信に応答することができる。
なお、上述の応答手段は、着信に応答するための所定の処理を実行する手段であって、具体的な構成としては、請求項２に記載のように、
前記応答手段は、前記複数種類の通話機能のうちいずれかの通話機能が利用されている状態で、該利用されている以外の通話機能による着信が発生した際に、該着信元との回線を接続すると共に、該接続以降に所定の音声信号を前記着信元へ出力する、ように構成するとよい。
【０００８】
このように構成された電話端末によれば、着信に対する応答として、音声通話中の利用者に代わって音声信号に基づく音声を着信元に伝える、といったことを行うことができる。
なお、この応答手段は、いずれかの通話機能が利用されている状態で他の通話機能による着信が発生した際、まず、着信元との回線を接続する処理を行う。この処理は、着信元との間で音声信号の入出力が可能な状態とする処理であって、電話回線網を介した音声通話を行うときのように、物理的な伝送路を設定したり、インターネット網を介したデータ通信を行うときのように、論理的な伝送路を設定（つまり、コネクションを確立）する処理である。そして、回線が接続された以降、この回線経由で音声信号を着信元へ出力する。ここで、音声信号を着信元へ出力する際、請求項３に記載のように、前記応答手段は、音声通話中である旨を通知するための音声信号を前記着信元へ出力する、ように構成すればよい。
【０００９】
このように構成された電話端末によれば、本電話端末を使用する利用者が音声通話中である旨を着信元に通知することができる。
また、音声信号を着信元へ出力する際、応答手段は、あらかじめ用意された複数種類の音声信号のうち、いずれかの音声信号を着信元へ出力するように構成してもよい。このとき、「いずれかの音声信号」としては、ランダムに決定、または、所定の規則に従って決定されるものであればよく、利用者が任意に指定したものであってもよい。このように、利用者が任意に指定した音声信号を着信元へ出力するためには、請求項４に記載のように、
前記応答手段が着信元へ出力すべき音声信号を、複数種類の音声信号の中から利用者に指定させる音声指定手段を備えており、
前記応答手段は、前記音声指定手段により指定された音声信号を前記着信元へ出力する、ように構成すればよい。
【００１０】
このように構成された電話端末によれば、利用者が任意に指定した音声信号に基づくメッセージを着信元へ伝えることができる。
なお、上述の音声指定手段は、いずれかの通話機能が利用されている状態で他の通話機能による着信が発生する毎に、随時、いずれかの音声信号を利用者に指定させるように構成すればよいし、着信元へ出力すべき音声信号をあらかじめ利用者に指定させておくように構成してもよい。
【００１１】
また、請求項５に記載の電話端末は、
各種信号を記録する信号記録手段を備えており、
前記応答手段は、前記複数種類の通話機能のうちいずれかの通話機能が利用されている状態で、該利用されている以外の通話機能による着信が発生した際に、該着信元との回線を接続すると共に、該接続以降に前記着信元から入力される信号を前記信号記録手段に記録させる、ことを特徴とする。
【００１２】
このように構成された電話端末によれば、着信に対する応答として、着信元から入力される信号を信号記録手段により記録させる、といったことを行うことができる。そして、利用者は、信号記録手段により記録された信号で示される内容を後で確認することができる。
【００１３】
なお、この応答手段は、いずれかの通話機能が利用されている状態で他の通話機能による着信が発生した際に、まず、着信元との回線を接続する処理を行う。この処理は、上述したように、着信元との間で音声信号の入出力が可能な状態とする処理である。そして、回線が接続された以降、この回線経由で着信元から入力される信号を信号記録手段により記録する。
【００１４】
ここで、信号記録手段により記録する信号としては、例えば、着信元であるファクシミリから入力される画像信号を考えることができる。このような画像信号を記録するためには、応答手段が、着信元との回線の接続後に着信元から入力される画像信号を信号記録手段に記録させる、ように構成すればよい。このように構成すれば、利用者は、信号記録手段により記録された画像信号を後から印字させることにより、その内容を確認することができる。
【００１５】
また、信号記録手段により記録する信号としては、着信元である電話端末から入力される音声信号を考えることもできる。このような音声信号を記録するためには、請求項６に記載のように、
前記応答手段は、着信元との回線の接続後に該着信元から入力される音声信号を前記信号記録手段に記録させる、ように構成すればよい。
【００１６】
このように構成された電話端末によれば、利用者は、信号記録手段により記録された音声信号に基づく音声を後から再生させることにより、その内容を確認することができる。
また、この構成においては、前記応答手段は、前記複数種類の通話機能のうちいずれかの通話機能が利用されている状態で、該利用されている以外の通話機能による着信が発生した際に、該着信元との回線を接続して、該接続以降に前記信号記録手段による記録を行う旨を通知するための音声信号を前記着信元へ出力すると共に、該出力以降に前記着信元から入力される信号を前記信号記録手段に記録させる、ように構成するとよい。このように構成すれば、着信元に対して、信号記録手段による記録を行う旨を通知することができる。
【００１７】
また、上述の応答手段の具体的な構成としては、請求項７に記載のように、
複数の送受話器を備えており、
前記応答手段は、前記複数種類の通話機能のうちいずれかの通話機能が利用されている状態で、該利用されている以外の通話機能による着信が発生した際に、該着信元との回線を接続すると共に、該接続以降に前記着信元から入出力される音声信号に基づく音声を、前記複数の送受話器のうち音声の入出力に利用されていない送受話器から入出力可能とする、ように構成してもよい。
【００１８】
このように構成された電話端末によれば、いずれかの通話機能が利用されている状態で他の通話機能による着信が発生した際、この着信元から入出力される音声信号に基づく音声を、音声の入出力に利用されていない送受話器から入出力可能とすることができる。これによって、いずれかの通話機能による音声の入出力に利用されていた送受話器と、他の通話機能による音声の入出力に利用可能となった送受話器とにより、同時に音声通話を行うことができる状態となる。そのため、例えば、いずれかの通話機能による音声通話中の利用者とは別の利用者が、他の通話機能による音声の入出力に利用可能となった送受話器によって、他の通話機能による着信に応答したり、いずれかの通話機能による音声通話中の利用者がこの音声通話を保留し、他の通話機能による音声の入出力に利用可能となった送受話器によって、他の通話機能による着信に応答することが可能になる。
【００１９】
なお、この応答手段は、いずれかの通話機能が利用されている状態で他の通話機能による着信が発生した際、まず、着信元との回線を接続する処理を行う。この処理は、請求項２と同様に、着信元との間で音声信号の入出力が可能な状態とする処理である。そして、着信元から入出力される音声信号に基づく音声を、音声の入出力に利用されていない送受話器から入出力可能とする。
【００２０】
ここで、音声を入出力可能とする送受話器は、音声の入出力に利用されていない、つまり、音声通話のために利用されていない送受話器であれば、いずれの送受話器であってもよい。例えば、請求項８に記載のように、
前記応答手段は、前記複数の送受話器のうち音声の入出力に利用されていない送受話器の中から、所定の条件を満足する送受話器を検索し、該条件を満足する送受話器が検出されたら、前記着信元との回線を接続すると共に、該接続以降に前記着信元から入出力される音声信号に基づく音声を前記検出された送受話器から入出力可能とする、といった構成を考えることができる。
【００２１】
このように構成された電話端末によれば、所定の条件に適合する送受話器のみを、着信元から入出力される音声信号に基づく音声を入出力可能な送受話器とすることができる。
なお、上述の「所定の条件」としては、例えば、電話端末本体から取り外して利用する送受話器であるハンドセットであること、とすればよい。このことを「所定の条件」とするためには、複数の送受話器の中に、電話端末本体から取り外して利用する送受話器であるハンドセットが含まれており、応答手段は、複数の送受話器のうち音声の入手力に利用されていない送受話器の中から、ハンドセットを検索する、ように構成すればよい。このように構成すれば、応答手段によって、ハンドセットを、着信元から入出力される音声信号に基づく音声を入出力可能な送受話器とすることができる。
【００２２】
また、「所定の条件」としては、送受話器として機能する無線通話用の子機端末であること、としてもよい。このことを「所定の条件」とするためには、請求項９に記載のように、
前記複数の送受話器の中に、該送受話器として機能する無線通話用の子機端末が含まれており、
前記応答手段は、前記複数の送受話器のうち音声の入出力に利用されていない送受話器の中から、前記子機端末を検索する、ように構成すればよい。
【００２３】
このように構成された電話端末によれば、応答手段によって、子機端末を、着信元から入出力される音声信号に基づく音声を入出力可能な送受話器とすることができる。
なお、上述の構成において、「所定の条件」に適合する送受話器が検出されないことも考えられるため、請求項１０に記載のように、
前記応答手段は、前記複数の送受話器のうち音声の入出力に利用されていない送受話器の中から、所定の条件を満足する送受話器を検索し、該条件を満足する送受話器が検出されなければ、前記着信元との回線を接続すると共に、該接続以降に所定の音声信号を前記着信元へ出力する、ように構成するとよい。
【００２４】
このように構成された電話端末によれば、「所定の条件」に適合する送受話器が検出されない、つまり、利用者が他の着信に応答することができない場合であっても、この着信に対する応答として、利用者に代わって、音声信号に基づくメッセージを着信元に伝える、といったことを行うことができる。
【００２５】
ここで、音声信号を着信元へ出力する際、応答手段は、請求項１１に記載のように、音声通話中である旨を通知するための音声信号を前記着信元へ出力する、ように構成すればよい。
このように構成された電話端末によれば、本電話端末を使用する利用者が音声通話中である旨を着信元に通知することができる。
【００２６】
また、音声信号を着信元へ出力する際、応答手段は、あらかじめ用意された複数種類の音声信号のうち、いずれかの音声信号を着信元へ出力するように構成してもよい。このとき、「いずれかの音声信号」としては、ランダムに決定、または、所定の規則に従って決定されるものであればよく、利用者が任意に指定したものであってもよい。このように、利用者が任意に指定した音声信号を着信元へ出力するためには、請求項１２に記載のように、
前記応答手段が着信元へ出力すべき音声信号を、複数種類の音声信号の中から利用者に指定させる音声指定手段を備えており、
前記応答手段は、前記音声指定手段により指定された音声信号を前記着信元へ出力する、ように構成すればよい。
【００２７】
このように構成された電話端末によれば、利用者が任意に指定した音声信号によるメッセージを着信元へ伝えることができる。
なお、上述の音声指定手段は、いずれかの通話機能が利用されている状態で他の通話機能による着信が発生する毎に、随時、いずれかの音声信号を利用者に指定させるように構成すればよいし、着信元へ出力すべき音声信号をあらかじめ利用者に指定させておくように構成してもよい。
【００２８】
また、請求項１３に記載の電話端末は、
各種信号を記録する信号記録手段を備えており、
前記応答手段は、所定の条件を満足する送受話器が検出されなければ、前記着信元との回線を接続すると共に、該接続以降に前記着信元から入力される信号を前記信号記録手段に記録させる、ことを特徴とする。
【００２９】
このように構成された電話端末によれば、着信に対する応答として、着信元から入力される信号を信号記録手段により記録させる、といったことを行うことができる。そして、利用者は、信号記録手段により記録された信号で示される内容を後で確認することができる。
【００３０】
なお、この応答手段は、いずれかの通話機能が利用されている状態で他の通話機能による着信が発生した際に、まず、着信元との回線を接続する処理を行う。この処理は、上述したように、着信元との間で音声信号の入出力が可能な状態とする処理である。そして、回線が接続された以降、この回線経由で着信元から入力される信号を信号記録手段により記録する。
【００３１】
ここで、信号記録手段により記録する信号としては、例えば、着信元であるファクシミリから入力される画像信号を考えることができる。このような画像信号を記録するためには、応答手段が、着信元との回線の接続後に着信元から入力される画像信号を信号記録手段に記録させる、ように構成すればよい。このように構成すれば、利用者は、信号記録手段により記録された画像信号を後から印字させることにより、その内容を確認することができる。
【００３２】
また、信号記録手段により記録する信号としては、着信元である電話端末から入力される音声信号を考えることもできる。このような音声信号を記録するためには、請求項１４に記載のように、
前記応答手段は、前記着信元との回線の接続後に該着信元から入力される音声信号を前記信号記録手段に記録させる、ように構成すればよい。
【００３３】
このように構成された電話端末によれば、利用者は、信号記録手段により記録された音声信号に基づく音声を後から再生させることにより、その内容を確認することができる。
また、この構成においては、前記応答手段は、前記複数種類の通話機能のうちいずれかの通話機能が利用されている状態で、該利用されている以外の通話機能による着信が発生した際に、該着信元との回線を接続して、該接続以降に前記信号記録手段による記録を行う旨を通知するための音声信号を前記着信元へ出力すると共に、該出力以降に前記着信元から入力される信号を前記信号記録手段に記録させる、ように構成するとよい。このように構成すれば、着信元に対して、信号記録手段による記録を行う旨を通知することができる。
【００３４】
また、請求項１５に記載の端末制御プログラムは、
少なくとも、電話回線網を介して伝送される音声信号に基づく音声を送受話器から入出力する電話通話機能、および、インターネット網を介して伝送される音声信号に基づく音声を送受話器から入出力するインターネット通話機能を含む複数種類の通話機能を有する電話端末を制御するための各種手順を、コンピュータシステムに実行させるための端末制御プログラムであって、
前記複数種類の通話機能のうちいずれかの通話機能が利用されている状態で、該利用されている以外の通話機能による着信が発生した際に、該着信に応答するための所定の処理を実行する応答手順が、含まれている、ことを特徴とする。
【００３５】
このようなプログラムにより電話端末を制御するコンピュータシステムは、請求項１に記載の電話端末の一部を構成することができるため、このコンピュータシステムを一部構成とした電話端末は、請求項１に記載の電話端末と同様の作用・効果を得ることができる。
【００３６】
また、この端末制御プログラムを、応答手順において、請求項２または請求項３に記載の応答手段と同様の手順で音声信号を着信元へ出力する、プログラムとしてもよい。
このようなプログラムにより電話端末を制御するコンピュータシステムは、請求項２または請求項３に記載の電話端末の一部を構成することができるため、このコンピュータシステムを一部構成とした電話端末は、請求項２または請求項３に記載の電話端末と同様の作用・効果を得ることができる。
【００３７】
また、このプログラムを、応答手順において着信元へ出力すべき音声信号を複数種類の音声信号の中から利用者に指定させる音声指定手順が含まれており、応答手段手順においては、音声指定手順において指定された音声信号を着信元へ出力する、プログラムとしてもよい。
【００３８】
このようなプログラムにより電話端末を制御するコンピュータシステムは、請求項４に記載の電話端末の一部を構成することができるため、このコンピュータシステムを一部構成とした電話端末は、請求項４に記載の電話端末と同様の作用・効果を得ることができる。
【００３９】
また、このプログラムを、各種信号を記録する信号記録手段を備える電話端末を制御するための各種手順をコンピュータシステムに実行させるため、応答手順において、請求項５または請求項６に記載の応答手段と同様の手順で、音声信号を信号記録手段に記録させる、プログラムとしてもよい。
【００４０】
このようなプログラムにより電話端末を制御するコンピュータシステムは、請求項５または請求項６に記載の電話端末の一部を構成することができるため、このコンピュータシステムを一部構成とした電話端末は、請求項５または請求項６に記載の電話端末と同様の作用・効果を得ることができる。
【００４１】
また、複数の送受話器を備えている電話端末を制御するための各種手順をコンピュータシステムに実行させるため、請求項１５に記載の端末制御プログラムを、応答手順において、請求項７から請求項９のいずれかに記載の応答手段と同様の手順で、着信元との回線を接続すると共に、着信元から入力される音声信号に基づく音声を入出力可能とする送受話器を設定する、プログラムとしてもよい。
【００４２】
このようなプログラムにより電話端末を制御するコンピュータシステムは、請求項７から請求項９のいずれかに記載の電話端末の一部を構成することができるため、このコンピュータシステムを一部構成とした電話端末は、請求項７から請求項９のいずれかに記載の電話端末と同様の作用・効果を得ることができる。
【００４３】
また、この端末制御プログラムを、応答手順において、請求項１０または請求項１１に記載の応答手段と同様の手順で音声信号を着信元へ出力する、プログラムとしてもよい。
このようなプログラムにより電話端末を制御するコンピュータシステムは、請求項１０または請求項１１に記載の電話端末の一部を構成することができるため、このコンピュータシステムを一部構成とした電話端末は、請求項１０または請求項１１に記載の電話端末と同様の作用・効果を得ることができる。
【００４４】
また、このプログラムを、応答手順において着信元へ出力すべき音声信号を複数種類の音声信号の中から利用者に指定させる音声指定手順が含まれており、応答手段手順においては、音声指定手順において指定された音声信号を着信元へ出力する、プログラムとしてもよい。
【００４５】
このようなプログラムにより電話端末を制御するコンピュータシステムは、請求項１２に記載の電話端末の一部を構成することができるため、このコンピュータシステムを一部構成とした電話端末は、請求項１２に記載の電話端末と同様の作用・効果を得ることができる。
【００４６】
また、このプログラムを、各種信号を記録する信号記録手段を備える電話端末を制御するための各種手順をコンピュータシステムに実行させるため、応答手順において、請求項１３または請求項１４に記載の応答手段と同様の手順で、音声信号を信号記録手段に記録させる、プログラムとしてもよい。
【００４７】
このようなプログラムにより電話端末を制御するコンピュータシステムは、請求項１３または請求項１４に記載の電話端末の一部を構成することができるため、このコンピュータシステムを一部構成とした電話端末は、請求項１３または請求項１４に記載の電話端末と同様の作用・効果を得ることができる。
【００４８】
なお、上述の端末制御プログラムは、例えば、ＦＤ、ＣＤ−ＲＯＭなどの記録媒体、インターネットなどの通信回線網を介して、電話端末自身、コンピュータシステム、または、これらを利用する利用者に提供されるものである。また、上述の端末制御プログラムを実行するコンピュータシステムとしては、例えば、電話端末に内蔵されたコンピュータシステム、電話端末に無線または有線の通信路を介してデータ通信可能に接続されたコンピュータシステムなどを利用することができる。
【００４９】
【発明の実施の形態】
次に本発明の構成をファクシミリ装置（以下、ＦＡＸとする）１に適用した例を説明する。
ＦＡＸ１は、電話回線網１００を介して音声通話を実現する機能（電話通話機能）、電話回線網１００を介して画像の送受信を行う機能、および、インターネット網２００を介したデータ通信を行う機能などを有しており、図１に示すように、ＣＰＵ１２、ＲＯＭ１４、ＲＡＭ１６、送受話器類２０、スキャナ部３２、モデム３４、記録部３６、ユーザインターフェース部（以降、ユーザＩ／Ｆとする）４０、ＰＣインターフェース部（以降、ＰＣＩ／Ｆとする）５０、通信制御部６０、回線制御部７０などがバス８０を介して接続されてなるものである。
【００５０】
ＣＰＵ１２は、あらかじめＲＯＭ１４に記憶されている処理手順に従って、処理結果をＲＡＭ１６に記憶させながら、ＦＡＸ１の各構成要素にバス８０経由で指令を送ることによって、ＦＡＸ１全体の動作を制御する。なお、ＲＯＭ１４には、ＣＰＵ１２が実行する処理手順の他に、着信を受けた際に利用される呼出音、後述する着信応答処理（図２参照）において利用される応答メッセージなどの音声信号も記憶されている。
【００５１】
送受話器類２０は、ＦＡＸ１本体から取り外した状態で使用する送受話器であるハンドセット２２、無線通話用の子機端末２４などからなり、子機端末２４は、無線処理部２６との間で音声信号を含む各種信号を送受信することにより無線通話を実現する。なお、子機端末２４は、各種操作キー（図示されない）が操作された際、操作内容を示す各種コマンドを無線処理部２６に送信するように構成されており、このコマンドを無線通信部２６経由で受信したＣＰＵ１２は、コマンドに基づいて、子機端末２４の操作キーが操作されたことの検出および操作内容の特定が可能である。
【００５２】
スキャナ部３２は、画像の読み取りを行うことにより画像のイメージデータを生成し、このイメージデータを所定の通信規格（例えば、Ｇ３、Ｇ４規格）に従った圧縮形式のフォーマットに符号化した後、モデム３４へ出力する。
モデム３４は、各種信号の変調、復調を行うものであって、例えば、スキャナ部３２から入力したイメージデータを変調して画像信号を生成し、この画像信号を回線制御部７０へ出力する一方、回線制御部７０から入力した画像信号を復調してイメージデータを生成し、このイメージデータを記録部３６へ出力する。
【００５３】
記録部３６は、モデム３４から入力したイメージデータを印刷用のフォーマットに復号し、復号したイメージデータに基づく画像の用紙への印字を行う。
ユーザＩ／Ｆ４０は、数字キーを含む複数のキーからなる操作キー４２、各種情報を表示する表示パネル４４、スピーカおよびスピーカを駆動する駆動回路からなるスピーカ部４６などで構成される。
【００５４】
ＰＣＩ／Ｆ５０は、ＦＡＸ１を通信ケーブル経由で別のコンピュータシステムと接続するためのインターフェースであって、これによって、ＦＡＸ１−コンピュータシステム間におけるデータ通信を可能とすることができる。
通信制御部６０は、ルータ制御部６２、ハブ６４、音声処理部６６、変換部６８などからなる。これらのうち、ルータ制御部６２は、インターネット網２００からハブ６４およびハブ６４からインターネット網２００に向かうパケット単位のデータ（以降、ＩＰパケットとする）を中継するものであって、周知のルータと同様に機能するものである。また、ハブ６４は、ルータ制御部６２から入力されたＩＰパケットを複数のポートそれぞれに出力すると共に、複数のポートから入力されるＩＰパケットをルータ制御部６２へ出力する。また、音声処理部６６は、ルータ制御部６２からハブ６４経由で入力したＩＰパケットに基づき音声信号を生成し、この音声信号を変換部６８へ出力すると共に、変換部６８から入力した音声信号に基づきＩＰパケットを生成し、このＩＰパケットをハブ６４経由でルータ制御部６２へ出力する。そして、変換部６８は、音声処理部６６から入力した音声信号をデジタル−アナログ変換して回線制御部７０に出力すると共に、回線制御部７０から入力した音声信号をアナログ−デジタル変換して音声処理部６６に出力する。こうして、インターネット網２００からＩＰパケットとして入力される音声信号が、回線制御部７０を介して送受話器類２０から音声として出力されると共に、送受話器類２０から音声として入力される音声信号が、回線制御部７０を介して通信制御部６０からＩＰパケットとして出力され、これによって、ＦＡＸ１は、インターネット網２００を介した音声通話を実現する。なお、このようなインターネット網２００を介した音声通話を実現するための機能を、以降、インターネット通話機能とする。
【００５５】
回線制御部７０は、ＦＡＸ１外部からの信号（音声・画像信号）の入力およびＦＡＸ１外部への信号の出力を行うと共に、ＦＡＸ１外部から入出力する信号の伝送先および伝送元となる伝送経路、および、ＦＡＸ１外部との信号の入出力に使用する伝送経路を設定する。
【００５６】
まず、「ＦＡＸ１外部から入出力する信号の伝送先および伝送元となる伝送経路」は、送受話器類２０により通話を開始するための操作（以降、オフフック操作とする）が行われた際に、回線制御部７０からオフフック操作の行われた送受話器類２０へ向かう経路が上述の伝送経路として設定される。具体的には、ハンドセット２２がＦＡＸ１本体から取り外された場合はハンドセット２２へ向かう経路が上述の伝送経路に設定され、子機端末２４によりオフフック操作（通話開始キーの押下）が行われた場合は子機端末２４（無線処理部２６）へ向かう経路が上述の伝送経路に設定される。こうして設定された伝送経路は、送受話器類２０により通話を終了するための操作（以降、オンフック操作とする）が行われた際に解除される。具体的には、ハンドセット２２がＦＡＸ１本体に戻された場合、子機端末２４によりオンフック操作（通話終了キーの押下）が行われた場合に設定された伝送経路が解除される。また、ユーザＩ／Ｆ４０の操作キー４２により画像を送信（ＦＡＸ送信）するための操作が行われた際に、モデム３４へ向かう経路が上述の伝送経路として設定され、この設定された伝送経路はモデム３４による画像信号の出力が終了した際に解除される。
【００５７】
一方、「ＦＡＸ１外部との信号の入出力に使用する伝送経路」は、初期状態として回線制御部７０から電話回線網１００へ向かう経路に設定されているが、オフフック操作の後に通話相手側の端末装置（例えば、ＵＲＩ：Ｕｎｉｆｏｒｍ　ＲｅｓｏｕｒｃｅＩｄｅｎｔｉｆｉｅｒｓ）を指定するといったインターネット通話機能における発信操作が行われた場合、および、インターネット網２００（通信制御部６０）から着信を受けた後にオフフック操作が行われた場合に、通信制御部６０（つまり、インターネット網２００）へ向かう経路が上述の伝送経路として設定される。また、オフフック操作の後に通話相手側の電話端末（電話番号）を指定するといった通常の発信操作が行われた場合、電話回線網１００から着信を受けた後にオフフック操作が行われた場合、および、ユーザＩ／Ｆ４０の操作キー４２により画像を送信するための操作が行われた場合に、電話回線網１００へ向かう経路が上述の伝送経路として設定し直される。
【００５８】
なお、詳細な説明は省略するが、このＦＡＸ１において、通信制御部６０からインターネット網２００までに至る通信経路のうち一部の区間（利用者側から電話局側までの区間）には、回線制御部７０から電話回線網１００に至る区間を接続する電話回線が併用されている。この区間においては、ＡＤＳＬ（ａｓｙｍｍｅｔｒｉｃｄｉｇｉｔａｌｓｕｂｓｃｒｉｂｅｒ　ｌｉｎｅ）技術によって、電話回線網１００を介して伝送される信号と、インターネット網２００を介して伝送されるＩＰパケットとが重畳された状態で伝送される。
【００５９】
［ＣＰＵ１２の着信応答処理］
以下に、ＣＰＵ１２が実行する着信応答処理の処理手順を図２に基づいて説明する。この着信応答処理は、ＦＡＸ１が起動（電源ＯＮ）してから終了（電源ＯＦＦ）するまで繰り返し実行される処理である。
【００６０】
まず、ＣＰＵ１２は、電話回線網１００およびインターネット網２００（通信制御部６０）のうちいずれか一方から着信を受けるまで待機する（ｓ１１０：ＮＯ）。
このｓ１１０の処理で着信を受けたら（ｓ１１０：ＹＥＳ）、ＣＰＵ１２は、電話回線網１００およびインターネット網２００のうちｓ１１０の処理で着信を受けていない方の網を介した音声通話が行われているかどうかをチェックする（ｓ１２０）。
【００６１】
この処理においては、ｓ１１０の処理でインターネット網２００から着信を受けていれば、電話回線網１００を介した音声通話が行われているかどうかがチェックされる。具体的には、回線制御部７０に電話回線網１００からの音声信号の入力があるかどうかをチェックし、音声信号の入力があれば音声通話が行われていると判定され、音声信号の入力がなければ音声通話が行われていないと判定される。
【００６２】
また、ｓ１１０の処理で電話回線網１００から着信を受けた場合には、インターネット網２００を介した音声通話が行われているかどうかがチェックされる。具体的には、回線制御部７０に通信制御部６０（インターネット網２００）からの音声信号の入力があるかどうかをチェックし、音声信号の入力があれば音声通話が行われていると判定され、音声信号の入力がなければ音声通話が行われていないと判定される。
【００６３】
このｓ１２０の処理で、着信を受けていない方の網を介した音声通話が行われていない場合（ｓ１２０：ＮＯ）、ＣＰＵ１２は、呼出音の出力を開始させる（ｓ１３０）。この処理においては、ＲＯＭ１４に記憶されている呼出音の音声信号をユーザＩ／Ｆ４０へ繰り返し出力させることによって、ユーザＩ／Ｆ４０のスピーカ部４６が呼出音の出力を開始する。また、このｓ１３０の処理においては、呼出音の出力を開始させるための制御信号が無線処理部２６経由で子機端末２４に送信され、この制御信号を受信した子機端末２４がスピーカ（図示されない）から呼出音の出力を開始する。
【００６４】
次に、ＣＰＵ１２は、オフフック操作が行われたかどうかをチェックする（ｓ１４０）。この処理においては、ハンドセット２２がＦＡＸ１本体から取り外されたかどうか、または、子機端末２４により通話開始キーを押下する操作が行われたかどうかがチェックされる。
【００６５】
このｓ１４０の処理で、オフフック操作が行われたら（ｓ１４０：ＹＥＳ）、ＣＰＵ１２は、呼出音の出力を終了させる（ｓ１５０）。この処理においては、呼出音の音声信号をユーザＩ／Ｆ４０へ出力させなくなることによって、ユーザＩ／Ｆ４０のスピーカ部４６が呼出音の出力を終了する。また、このｓ１５０の処理においては、呼出音の出力を終了させるための制御信号が無線処理部２６を介して子機端末２４に送信され、この制御信号を受信した子機端末２４がスピーカからの呼出音の出力を終了する。
【００６６】
次に、ＣＰＵ１２は、ｓ１１０の処理で着信を受けた方の網から、ｓ１４０の処理でオフフック操作が行われた送受話器類２０に至る音声信号の伝送経路を設定させる（ｓ１６０）。
この処理においては、ｓ１１０の処理でインターネット網２００から着信を受けていたら、「ＦＡＸ１外部との信号の入出力に使用する伝送経路」として、通信制御部６０に向かう経路が設定され、また、「ＦＡＸ１外部から入出力する信号の伝送先および伝送元となる伝送経路」として、ハンドセット２２または無線処理部２６（子機端末２４）に向かう経路が設定される。こうして、通信制御部６０から送受話器類２０に至る音声信号の伝送経路が設定されることにより、着信元との回線が接続（コネクションが確立）され、インターネット通話機能による音声通話が行われている状態となる。
【００６７】
また、ｓ１１０の処理で電話回線網１００から着信を受けていたら、「ＦＡＸ１外部との信号の入出力に使用する伝送経路」として、電話回線網１００へ向かう経路が設定され、また、「ＦＡＸ１外部から入出力する信号の伝送先および伝送元となる伝送経路」として、ハンドセット２２または無線処理部２６（子機端末２４）に向かう経路が設定される。こうして、電話回線網１００から送受話器類２０に至る音声信号の伝送経路が設定されることにより、着信元との回線が接続され、電話回線網１００を介した音声通話が行われている状態となる。
【００６８】
次に、ＣＰＵ１２は、オンフック操作が行われるまで待機する（ｓ１７０：ＮＯ）。こうして、ｓ１６０の処理で音声信号の伝送経路が設定されて以降、このｓ１７０の処理でオンフック操作が行われるまでの間、音声通話が継続される。このｓ１７０の処理で、オンフック操作が行われたら（ｓ１７０：ＹＥＳ）、ＣＰＵ１２は、ｓ１６０の処理で設定された伝送経路を解除させる（ｓ１８０）。この処理においては、ｓ１６０の処理で設定された伝送経路が解除されることにより、着信元との回線が切断され、インターネット通話機能による音声通話、または、電話回線網１００を介した音声通話が行われない状態となる。
【００６９】
また、ｓ１４０の処理で、オフフック操作が行われていなければ（ｓ１４０：ＮＯ）、ＣＰＵ１２は、ｓ１１０の処理で受けた着信が継続しているかどうかをチェックして（ｓ１９０）、継続していれば（ｓ１９０：ＹＥＳ）、ｓ１４０の処理へ戻る。
【００７０】
一方、ｓ１９０の処理で、着信が継続していなければ（ｓ１９０：ＮＯ）、ＣＰＵ１２は、呼出音の出力を終了させる（ｓ２００）。この処理は、ｓ１５０の処理と同様の処理である。
こうして、ｓ１８０の処理で伝送経路を解除させた後、または、ｓ２００の処理で呼出音の出力を終了させた後、ＣＰＵ１２はｓ１１０の処理へ戻る。
【００７１】
また、ｓ１２０の処理で、着信を受けていない方の網を介した音声通話が行われている場合（ｓ１２０：ＮＯ）、ＣＰＵ１２は、音声通話に利用されていない、つまり、未使用の送受話器類２０が子機端末２４かどうかをチェックする（ｓ２１０）。この処理においては、送受話器類２０の無線処理部２６が音声信号の送受信を行っていなければ、未使用の送受話器類２０が子機端末２４であると判定され、音声信号の送受信を行っていれば、未使用の送受話器類２０が子機端末２４ではないと判定される。
【００７２】
このｓ２１０の処理で、未使用の送受話器類２０が子機端末２４の場合（ｓ２１０：ＹＥＳ）、ＣＰＵ１２は、子機端末２４に呼出音の出力を開始させる（ｓ２３０）。この処理においては、呼出音の出力を開始させるための制御信号が無線処理部２６を介して子機端末２４に送信され、この制御信号を受信した子機端末２４がスピーカから呼出音の出力を開始する。
【００７３】
次に、ＣＰＵ１２は、子機端末２４によりオフフック操作が行われたかどうかをチェックする（ｓ２４０）。この処理においては、子機端末２４の通話開始キーを押下する操作が行われたかどうかがチェックされる。
このｓ２４０の処理で、オフフック操作が行われたら（ｓ２４０：ＹＥＳ）、ＣＰＵ１２は、子機端末２４による呼出音の出力を終了させる（ｓ２５０）。この処理においては、呼出音の出力を終了させるための制御信号が無線処理部２６を介して子機端末２４に送信され、この制御信号を受信した子機端末２４がスピーカからの呼出音の出力を終了する。
【００７４】
次に、ＣＰＵ１２は、ｓ１１０の処理で着信を受けた方の網から無線処理部２６（子機端末２４）に至る音声信号の伝送経路を設定させる（ｓ２６０）。この処理においては、「ＦＡＸ１外部との信号の入出力に使用する伝送経路」として、ｓ１１０の処理でインターネット網２００から着信を受けていたら、通信制御部６０に向かう経路が設定され、ｓ１１０の処理で電話回線網１００から着信を受けていたら、電話回線網１００へ向かう経路が設定される。また、「ＦＡＸ１外部から入出力する信号の伝送先および伝送元となる伝送経路」として、無線処理部２６（子機端末２４）に向かう経路が設定される。こうして、通信制御部６０または電話回線網１００から無線処理部２６（子機端末２４）に至る音声信号の伝送経路が設定されることにより、着信元との回線が接続され、インターネット通話機能による音声通話、または、電話回線網１００を介した音声通話が行われている状態となる。
【００７５】
次に、ＣＰＵ１２は、子機端末２４でオンフック操作が行われるまで待機する（ｓ２７０：ＮＯ）。こうして、ｓ２６０の処理で音声信号の伝送経路が設定されて以降、このｓ２７０の処理でオンフック操作が行われるまでの間、音声通話が継続される。
【００７６】
このｓ２７０の処理で、オンフック操作が行われたら（ｓ２７０：ＹＥＳ）、ＣＰＵ１２は、ｓ２６０の処理で設定された伝送経路を解除させる（ｓ２８０）。この処理においては、ｓ２６０の処理で設定された伝送経路が解除されることにより、着信元との回線が切断され、インターネット通話機能による音声通話、または、電話回線網１００を介した音声通話が行われない状態となる。
【００７７】
また、ｓ２４０の処理で、オフフック操作が行われていなければ（ｓ２４０：ＮＯ）、ＣＰＵ１２は、ｓ１１０の処理で受けた着信が継続しているかどうかをチェックして（ｓ２９０）、継続していれば（ｓ２９０：ＹＥＳ）、ｓ２４０の処理へ戻る。
【００７８】
一方、ｓ２９０の処理で、着信が継続していなければ（ｓ２９０：ＮＯ）、ＣＰＵ１２は、子機端末２４による呼出音の出力を終了させる（ｓ３００）。この処理は、ｓ２５０の処理と同様の処理である。
こうして、ｓ２８０の処理で伝送経路を解除させた後、または、ｓ３００の処理で呼出音の出力を終了させた後、ＣＰＵ１２はｓ１１０の処理へ戻る。
【００７９】
また、ｓ２１０の処理で、未使用の送受話器類２０が子機端末２４でない場合（ｓ２１０：ＮＯ）、ＣＰＵ１２は、ｓ１１０の処理で着信を受けた方の網からモデム３４に至る音声信号の伝送経路を設定させる（ｓ３１０）。この処理においては、「ＦＡＸ１外部との信号の入出力に使用する伝送経路」として、ｓ１１０の処理でインターネット網２００から着信を受けていたら、通信制御部６０に向かう経路が設定され、ｓ１１０の処理で電話回線網１００から着信を受けていたら、電話回線網１００へ向かう経路が設定される。また、「ＦＡＸ１外部から入出力する信号の伝送先および伝送元となる伝送経路」として、モデム３４に向かう経路が設定される。こうして、通信制御部６０または電話回線網１００からモデム３４に至る音声信号の伝送経路が設定されることにより、着信元との回線が接続される。
【００８０】
次に、ＣＰＵ１２は、音声通話中である旨を通知する（ｓ３２０）。この処理においては、ＲＯＭ１４に記憶されている通話中通知メッセージの音声信号をモデム３４へ出力させる。この音声信号を入力したモデム３４は、音声信号を電話回線網１００で伝送可能な信号形式に変更（変調）した後、回線制御部７０へ出力する。こうして、通話中通知メッセージが回線制御部７０経由で着信元に向けて出力されることになる。なお、この通話中通知メッセージは、ＦＡＸ１の利用者が音声通話中で着信に応答できない旨を通知するメッセージであって、これにより、着信に応答できない旨を着信元に伝えることができる。
【００８１】
次に、ＣＰＵ１２は、音声通話中である旨の通知が終了したかどうかをチェックする（ｓ３３０）。この処理においては、ＲＯＭ１４からモデム３４への音声信号の出力が終了していれば、音声通話中である旨の通知が終了したと判定され、音声信号の出力が終了していなければ、音声通話中である旨の通知が終了していないと判定される。
【００８２】
このｓ３３０の処理で、音声通話中である旨の通知が終了したら（ｓ３３０：ＹＥＳ）、ＣＰＵ１２は、着信元から回線制御部７０経由で入力される音声信号の記録を開始する（ｓ３４０）。この処理においては、着信元から回線制御部７０経由で入力される音声信号がモデム３４へ出力される。この音声信号を入力したモデム３４は、音声信号をＲＡＭ１６に記憶可能な信号形式に変更（復調）した後、ＲＡＭ１６へ出力する。こうして、ＲＡＭ１６が着信元からのメッセージを音声信号として記録（いわゆる留守録）することになる。また、このｓ３４０の処理においては、タイマーによるカウントをスタートする。
【００８３】
次に、ＣＰＵ１２は、着信元において音声通話が終了されたかどうかをチェックする（ｓ３５０）。
このｓ３５０の処理で、着信元において音声通話が終了されていなければ（ｓ３５０：ＮＯ）、ＣＰＵ１２は、ｓ３４０の処理で音声信号の記録を開始してから所定時間（本実施形態においては、２０秒）経過したかどうかをチェックし（ｓ３６０）、所定時間が経過していなければ（ｓ３６０：ＮＯ）、ｓ３５０の処理へ戻る。このｓ３６０の処理では、ｓ３４０の処理でスタートされたタイマーのカウント値をチェックすることによって、所定時間を経過したかどうかがチェックされる。
【００８４】
こうして、ｓ３５０の処理で着信元において音声通話が終了されているとき（ｓ３５０：ＹＥＳ）、または、ｓ３６０の処理で所定時間が経過しているとき（ｓ３６０：ＹＥＳ）、ＣＰＵ１２は、ｓ３１０の処理で設定された音声信号の伝送経路を解除することによって、着信元からの音声信号の記録を終了させる（ｓ３７０）。この処理においては、音声信号の伝送経路が解除されることによって、着信元から回線制御部７０経由で入力される音声信号がモデム３４へ出力されなくなり、これにより、着信元からの音声信号の記録が終了される。また、このｓ３７０の処理では、タイマーをストップおよびリセットする。
【００８５】
また、ｓ３３０の処理で、音声通話中である旨の通知が終了していなければ（ｓ３３０：ＮＯ）、ＣＰＵ１２は、着信元において音声通話が終了されたかどうかをチェックする（ｓ３８０）。この処理は、ｓ３５０の処理と同様の処理である。
【００８６】
このｓ３８０の処理で、着信元において音声通話が終了されていなければ（ｓ３８０：ＮＯ）、ＣＰＵ１２は、ｓ３３０の処理へ戻る。
一方、ｓ３８０の処理で、着信元において音声通話が終了されていれば（ｓ３８０：ＹＥＳ）、ＣＰＵ１２は、ｓ３１０の処理で設定された音声信号の伝送経路を解除する（ｓ３９０）。この処理においては、ｓ３１０の処理で設定された伝送経路が解除されることにより、着信元との回線が切断される。
【００８７】
こうして、ｓ３７０の処理で音声信号の記録を終了させた後、または、ｓ３９０の処理で伝送経路を解除した後、ＣＰＵ１２はｓ１１０の処理へ戻る。
［本発明との対応関係］
以上説明した実施形態において、ＦＡＸ１は本発明における電話端末であって、ＲＡＭ１６は本発明における信号記録手段である。
【００８８】
また、図２におけるｓ１２０以降の処理（ｓ２３０、ｓ３２０、および、ｓ３４０からｓ３７０の処理）は、他の網からの着信に応答するための処理であって、本発明における応答手段として機能している。
［効果］
このように構成されたＦＡＸ１によれば、図２におけるｓ１１０、ｓ１２０の処理において、電話回線網１００およびインターネット網２００のいずれかの網を介した音声通話が行われている状態（通話機能が利用されている状態）で、音声通話が行われていない方の網からの着信が発生した際、この着信に応答するためにｓ２１０以降の処理が実行される。そのため、いずれかの網を介した音声通話が行われている状態で、音声通話が行われていない方の網からの着信が発生した場合、この着信に対する応答を音声通話中の利用者に代わってＣＰＵ１２に行わせることができる。よって、いずれかの網を介した音声通話が行われている最中に、この音声通話を終了させることなく、他の網からの着信に応答することができる。
【００８９】
また、図２におけるｓ２１０の処理で、「未使用の子機端末２４」が存在しない、つまり、利用者が他の網からの着信に応答することができない場合であっても、着信に対する応答として、ｓ３２０の処理で、応答メッセージの音声信号を着信元に出力し、音声通話中である旨を通知する、といったことを行うことができる。また、通話中通知メッセージは、ＦＡＸ１の利用者が音声通話中で着信に応答できない旨を通知するメッセージであるため、ｓ３２０の処理によって、着信に応答できない旨を着信元の利用者に伝えることができる。
【００９０】
また、図２におけるｓ３４０からｓ３７０の処理で、着信に対する応答として、着信元から入力される音声信号をＲＡＭ１６に記録させる、といったことを行うことができる。そのため、ＦＡＸ１の利用者は、ＲＡＭ１６により記録された音声信号に基づく音声を後から再生させることにより、その内容を確認することができる。
【００９１】
また、図２におけるｓ２１０の処理で、いずれかの網を介した音声通話が行われている状態で、他の網からの着信が発生した際、子機端末２４が未使用であれば、この着信元からの音声信号に基づく音声を子機端末２４から入出力可能とすることができる。これによって、いずれかの網を介した音声通話が行われていたハンドセット２２と、子機端末２４とにより、同時に音声通話を行うことができる状態となる。そのため、例えば、ハンドセット２２でいずれかの網を介した音声通話を行っている利用者とは別の利用者が、子機端末２４で他の網からの着信に応答したり、ハンドセット２２でいずれかの網を介した音声通話中の利用者が、この音声通話を保留し、子機端末２４で他の網からの着信に応答する、といったことが可能になる。
【００９２】
［変形例］
以上、本発明の実施形態について説明したが、本発明は上記の具体的な実施形態に限定されず、このほかにも様々な形態で実施することができる。
例えば、上記実施形態においては、ＦＡＸ１に本発明の電話端末としての構成を適用したものを例示した。しかし、本発明の電話端末としての構成を適用する装置は、電話端末としての機能を有していればＦＡＸ１以外の装置でもよい。
【００９３】
また、上記実施形態においては、図２の処理が、ＦＡＸ１のＣＰＵ１２からなるコンピュータシステムにより実行されるように構成されたものを例示した。しかし、この処理が、ＦＡＸ１に有線・無線の信号伝送路で接続された別のコンピュータシステムにより実行されるように構成してもよい。
【００９４】
また、上記実施形態においては、ＣＰＵ１２が実行する処理手順がＲＯＭ１４に記憶されているものを例示した。しかし、ＣＰＵ１２が実行する処理手順の一部または全部が、例えば、ＰＣＩ／Ｆ５０や通信制御部６０を介して入力されるプログラムに従って実行されるように構成してもよいし、このようなプログラムがＲＡＭ１６に記憶されながら、随時実行されるように構成してもよい。
【００９５】
また、上記実施形態においては、図２におけるｓ２１０の処理で、子機端末２４が未使用であるかどうかをチェックするように構成されたものを例示した。しかし、このｓ２１０の処理では、単に、音声の入出力に利用されていない、つまり、音声通話のために利用されていない送受話器類２０が存在するかどうかをチェックするように構成してもよい。つまり、ｓ２１０の処理において、未使用の送受話器類２０が存在すれば、ｓ２２０以降の処理を未使用の送受話器類２０により行われるようにし、未使用の送受話器類２０が存在しなければ、ｓ３１０以降の処理が行われるように構成すればよい。
【００９６】
このように構成すれば、いずれかの網を介した音声通話が行われている状態で他の網からの着信が発生した際、この着信元から入出力される音声信号に基づく音声を音声通話に利用されていない送受話器類２０から入出力可能とすることができる。これによって、いずれかの網を介した音声通話に利用されていた送受話器類２０と、音声通話に利用されていなかった送受話器類２０とにより、同時に音声通話を行うことができる状態となる。そのため、例えば、いずれかの網を介した音声通話を行っている利用者とは別の利用者が、音声通話に利用されていなかった送受話器類２０によって、他の網からの着信に応答したり、いずれかの網を介した音声通話を行っている利用者が、この音声通話を保留し、音声通話に利用されていなかった送受話器類２０によって、他の網からの着信に応答する、といったことが可能になる。
【００９７】
また、上記実施形態においては、図２におけるｓ２１０の処理で、「未使用の子機端末２４」といった条件に適合する送受話器類２０のみを、着信元から入出力される音声信号に基づく音声を入出力可能な送受話器類２０とするように構成されたものを例示した。しかし、音声を入出力可能とする送受話器類２０の「条件」を、これ以外の条件としてもよい。例えば、「未使用のハンドセット２２」であること、とすればよい。このように構成すれば、「未使用のハンドセット２２」といった条件に適合する送受話器類２０のみを、着信元から入出力される音声信号に基づく音声を入出力可能な送受話器類２０とすることができる。
【００９８】
また、上記実施形態においては、ｓ３２０の処理で、音声通話中である旨の通知を行うように構成されたものを例示した。しかし、このｓ３２０の処理では、着信元の利用者にメッセージの録音（ＲＡＭ１６による音声信号の記録）を促す旨の音声信号を、着信元に出力するように構成してもよい。このように構成すれば、着信元の利用者に対して、メッセージの録音（いわゆる留守録）を行う旨を通知することができる。
【００９９】
また、上記実施形態においては、ｓ３４０からｓ３７０の処理で、着信元から入力される音声信号をＲＡＭ１６に記録させるように構成されたものを例示した。しかし、このｓ３４０からｓ３７０の処理では、着信元である他のＦＡＸから入力される画像信号をＲＡＭ１６に記録させるように構成してもよい。このように構成すれば、利用者は、ＲＡＭ１６により記録された画像信号を後から記録部３６で印字させることにより、その内容を確認することができる。
【０１００】
また、上記実施形態においては、図２におけるｓ３２０の処理で、あらかじめＲＯＭ１４に記憶された応答メッセージの音声信号を着信元に出力するように構成されている。ここで、着信元に出力される応答メッセージとして、複数種類のメッセージそれぞれに対応する応答メッセージをあらかじめ用意しておき、ランダムに決定、または、所定の規則に従って決定された応答メッセージが着信元に出力されるように構成してもよい。
【０１０１】
さらに、図２におけるｓ３２０の処理が行われる以前に、着信元に出力すべき応答メッセージをいずれの応答メッセージにするかを、操作キー４２の操作によって、あらかじめ利用者に指定させておくように構成してもよい。また、図３に示すように、ｓ３１０およびｓ３２０の処理の間に、着信元に出力すべき応答メッセージを利用者に指定させる処理（ｓ３１５）が行われるようにして、この処理で、利用者が操作キー４２の操作により指定した種類の応答メッセージが、ｓ３２０の処理において着信元に出力されるように構成すればよい。これらのように構成すれば、利用者が任意に指定した応答メッセージを着信元の利用者へ伝えることができる。なお、このように構成した場合の操作キー４２およびｓ３１５の処理は、本発明における音声指定手段として機能するものである。
【０１０２】
また、上記実施形態における応答メッセージとしては、ＲＯＭ１４にあらかじめ記憶されているものを例示した。しかし、例えば、利用者が送受話器類２０を利用して入力させた音声に基づく音声信号や、電話回線網１００またはインターネット網２００から入力された音声信号を、応答メッセージとしてＲＡＭ１６やＦＡＸ１に接続可能な他の記憶装置・記録媒体により記憶させておき、これらの音声信号を応答メッセージとして利用してもよい。
【０１０３】
また、上記実施形態においては、図２におけるｓ３４０からｓ３７０の処理で、ＲＡＭ１６に音声信号を記録させるように構成されたものを例示した。しかし、このｓ３４０からｓ３７０の処理では、音声信号をＦＡＸ１に接続可能な他の記憶装置・記録媒体に記録させるように構成してもよい。
【０１０４】
また、上記実施形態においては、ＦＡＸ１が、送受話器類２０として一の子機端末２４を備えているものを例示した。しかし、送受話器類２０として子機端末２４を複数備えていてもよい。特に、図４に示すように、ＦＡＸ１を、複数の子機端末２４と、各子機端末２４それぞれに対応する無線処理部２６とを備えた構成とすれば、図２におけるｓ２１０の処理で、未使用の子機端末２４を検索すると共に、検出された未使用の子機端末２４によって、ｓ２３０以降の処理を行わせることができる。
【０１０５】
また、上記実施形態においては、図２におけるｓ１２０の処理で音声通話が行われていない場合、ｓ２１０の処理で未使用の子機端末２４が存在しなければ、ｓ３１０以降の処理が行われるように構成されたものを例示した。しかし、ｓ１２０の処理で音声通話が行われていない場合に、ｓ２１０の処理を行うことなくｓ３１０の処理へ移行するように構成してもよい。
【図面の簡単な説明】
【図１】実施形態におけるファクシミリ装置の制御系統を示すブロック図
【図２】着信応答処理の処理手順を示すフローチャート
【図３】別の実施形態における着信応答処理の処理手順を示すフローチャート
【図４】別の実施形態におけるファクシミリ装置の制御系統を示すブロック図
【符号の説明】
１・・・ファクシミリ装置、１２・・・ＣＰＵ、１４・・・ＲＯＭ、１６・・・ＲＡＭ、２０・・・送受話器類、２２・・・ハンドセット、２４・・・子機端末、２６・・・無線処理部、３２・・・スキャナ部、３４・・・モデム、３６・・・記録部、４０・・・ユーザインターフェース部、４２・・・操作キー、４４・・・表示パネル、４６・・・スピーカ部、５０・・・ＰＣインターフェース部、６０・・・通信制御部、６２・・・ルータ制御部、６４・・・ハブ、６６・・・音声処理部、６８・・・変換部、７０・・・回線制御部、８０・・・バス。
【図１】
2004080499.tif 000003
【図２】
2004080499.tif 000004
【図３】
2004080499.tif 000005
【図４】
2004080499.tif 000006